(57)【特許請求の範囲】
【請求項１】
時刻情報を有する標準電波を受信する受信手段と、
該受信手段の出力する時刻情報に基づき時刻を表示する時計手段と、
を有する電波修正時計において、
前記受信手段が、前記複数の標準電波を順次受信するための受信順位を記憶する記憶手段と、
前記記憶手段に記憶した前記複数の標準電波の受信順位を書き換え可能な書換え手段と、
各受信順位における各受信の成功不成功を判別する判別手段と、
該判別手段からの各受信順位の成功信号を各標準電波局毎にカウントするカウンタを有し、
前記書換え手段は、過去の受信における累積カウント数に基づき、受信する標準電波の順位を決定する
ことを特徴とする電波修正時計。
【請求項２】
前記複数の標準電波を順次受信した結果、少なくとも２つ以上の標準電波において部分的に受信に成功した場合、
各受信において部分的に受信に成功したデータから時刻情報データを合体又は合成することを特徴とする請求項１に記載の電波修正時計。
【請求項３】
前記部分的に受信に成功したデータの１つが時分データであり、
他に部分的に受信に成功したデータがカレンダデータである
ことを特徴とする請求項２に記載の電波修正時計。
【請求項４】
前記受信履歴に関する情報を初期化する初期化手段を備える
ことを特徴とする請求項１乃至３のいずれかに記載の電波修正時計。
【請求項５】
選定された受信回数ごとに前記各カウント数の初期化を行う初期化手段を備える
ことを特徴とする請求項４に記載の電波修正時計。
【発明の詳細な説明】
【技術分野】
【０００１】
この発明は、時刻情報を有する標準電波を受信する受信手段と、この受信手段の出力する時刻情報に基づき時刻を表示する時計手段とを有する電波修正時計に関する。特に、その受信方式に関する。
【背景技術】
【０００２】
従来より、外部から時刻データを受信し、現在表示されている時刻を修正する技術として１分毎に送信される年、月、日、時、分、正秒、サマータイム情報等の高精度な時刻情報が含まれる標準電波を受信し、時刻合わせ、日付修正等の時刻修正を自動で行う、太陽エネルギー駆動型無線制御時計が特開平１１−１６０４６４号に開示され、自己発電式電子時計が特開２００１−１６６０７１号に開示されている。
【０００３】
現在、日本では福島県にある送信局から４０ＫＨｚの周波数で標準電波を送信しているが、福島県の送信局から１０００Ｋｍ以上離れている九州地方などの地域では電界強度が弱く、標準電波を十分に受信できない地域があったため、平成１３年に新たな送信局を佐賀県に建設中である。この佐賀県の送信局から発信される標準電波の周波数は６０ＫＨｚであり、受信範囲を日本全国にするにはその地域に対応した受信周波数、受信アルゴリズムに切り換える必要が出てきた。
【０００４】
また、各国及び地域により標準電波の周波数、タイムコードフォーマットなどは異なっており、標準電波に対応するには、地域に応じた受信周波数、受信アルゴリズムに切り換える必要がある。
【０００５】
一方、放送局などから音声信号に混じって放送されている報時信号のパターンをあらかじめ記憶しておき、複数の放送局からの放送波を一定の周期で順次受信し、報時信号波形を認識して時刻修正を行う電波による修正手段を備えた時計が、特公昭５６−１７６２９号に開示されている。すなわち、ラジオ局の電界強度が弱すぎて受信不可能な場合、所定のパターンで順次、他の放送局の信号を受信していき、受信が可能になるまで各放送局の受信を繰り返すことが開示されている。
【０００６】
しかし、上記の太陽エネルギー駆動型無線制御時計が特開平１１−１６０４６４号に開示され、自己発電式電子時計が特開２００１−１６６０７１号に開示されている発明は、地域による電波強度の違いによって、必要な電波を受信できなくなるときについては、何も開示されていない。また、上記の特公昭５６−１７６２９号の開示は、高精度な時刻情報が含まれる標準電波の受信をその主目的とするものではなく、１時間に１回の時報信号の受信を目的としているものであることが伺える。このような受信方式では、小型の携帯時計のように節電を要する場合、正時前後の短い時間内に受信期間を設定する必要から、大幅に狂いを生じた場合には、時刻の自動修正が困難なことが生じる。また、次の時報信号を少なくとも１時間経過後に受信することとなるため、修正に要する期間が長くなる。
【発明の開示】
【発明が解決しようとする課題】
【０００７】
そこで、この発明は地域による標準電波の電波状況の影響を少なくするとともに、大幅な時刻の狂いが生じた場合にも対処でき、より短期間で正確な時間への修正を可能とした電波修正時計を提供することを目的とする。
【課題を解決するための手段】
【０００８】
上記の目的を達成するため、この発明では、時刻情報を有する標準電波を受信する受信手段と、該受信手段の出力する時刻情報に基づき時刻を表示する時計手段とを有する電波修正時計において、前記受信手段は複数の標準電波を受信可能であり、前記複数の標準電波の受信順位を記憶可能な記憶手段を備えた電波修正時計とする。これによって、複数の標準電波を受信できるため地域による電波状況の影響を少なくするとともに、毎分発信される標準電波を用いて大幅な時刻の狂いが生じた場合にも対処でき、より短期間での正確な時間への修正を可能とできる。
【０００９】
また、前記記憶手段に記憶した前記複数の標準電波の受信順位を書き換え可能な書換え手段を備える電波修正時計とすれば、受信順位を書き換えによって、より適切な標準電波を優先して受信することが可能となる。
【００１０】
また、書換え手段を外部操作部材により動作できる電波修正時計とすれば、任意に地域に応じたより適切な標準電波を受信できる。
【００１１】
また、各受信順位における各標準電波の受信の完了未完了を判別する判別手段を備え、該判別手段からの完了信号によって前記受信手段が受信を終了することにより、前の受信順位における標準電波の受信が不成功のときだけ、次の受信順位の標準電波の受信動作を行うようにした電波修正時計とすれば、受信時間をより短くすることが可能となり、消費電力を節減できる。
【００１２】
また、各受信順位における各標準電波のそれぞれの受信動作において、受信を開始してから一定時間経過した時点で次の受信順位の標準電波を受信するかどうかを判断する電波修正時計としてもよい。
【００１３】
また、前記一定時間経過した時点で、現在受信対象としている標準電波の受信が途絶えたか否かを判別し、途絶えた場合に次の受信順位の標準電波を受信する電波修正時計としてもよい。
【００１４】
また、各受信順位における各受信の完了未完了を判別する判別手段を備え、該判別手段からの未完了信号によってその順位の標準電波局に対してフラグを立て、次回の受信時に前記フラグを有する標準電波局の前記受信順位を飛ばして次の受信順位の受信を行うフラグ判別手段を備える電波修正時計とすれば、過去の受信履歴情報を生かして、より高度な消費電力の削減、受信時間の短縮を実現できる。
【００１５】
また、各受信順位における各受信の完了未完了を判別する判別手段を備え、該判別手段からの一定以上の時刻情報の受信完了信号によってその順位の標準電波局に対するフラグを立て、次回の受信時に前記フラグを有する前記受信順位の標準電波局の受信を実行するフラグ判別手段を備える電波修正時計とすれば、過去の受信履歴情報を生かして、より高度な消費電力の削減、受信時間の短縮を実現できる。
【００１６】
また、前記受信順位のうち少なくとも１つの隣接する順位において受信する標準電波を周波数同一のものから選定した電波修正時計とすれば、電界強度に対する合わせ込みを行う受信手段のオートゲインコントローラの増幅率が安定するのにかかる時間を短縮でき、タイムコードの受け入れまでの時間が短縮でき、速やかな受信が可能となる。
【００１７】
各受信順位における各標準電波の過去の受信履歴に基づいて、受信する標準電波の順位を決定する電波修正時計としてもよい。
【００１８】
また、各受信順位における各受信の完了未完了を判別する判別手段を備え、前記受信履歴は、該判別手段からの各受信順位の完了信号を各標準電波局毎にカウントしたカウント数の累積である電波修正時計とすれば、過去の受信履歴より完全成功の頻度に応じた受信順序とすることで、無駄な消費電力を削減し、受信時間を短縮して速やかな受信を可能とできる。
【００１９】
また、前記受信履歴は、各受信順位における各標準電波局の受信成功または不成功の回数をカウントしたデータである電波修正時計としてもよい。
【００２０】
また、前記受信履歴に関する情報を初期化する初期化手段を備える電波修正時計としてもよい。
【００２１】
また、前記初期化手段を初期化操作するための外部操作手段を有する電波修正時計としてもよい。
【００２２】
また、選定された受信回数ごとに前記各カウント数の初期化を行う初期化手段を備える電波修正時計としてもよい。
【００２３】
また、前記電波修正時計は、複数の標準電波に関する情報が記憶されているＲＯＭと、該ＲＯＭに記載されている各標準電波に関する情報に対する順位を記憶するＲＡＭとを有する電波修正時計としてもよい。
【００２４】
また、前記ＲＡＭは、受信順位に対応付けられた複数の記憶エリアを有し、各記憶エリアに、各標準電波に関する情報を記憶し、前記受信手段は、受信順位の高い記憶エリアに記憶された情報から順番に読み込んで受信動作を行う電波修正時計としてもよい。
【００２５】
また、前記ＲＯＭに記憶されている各標準電波に関する情報には、前記受信手段の受信周波数を設定するための周波数情報が含まれている電波修正時計としてもよい。
【発明を実施するための最良の形態】
【００２６】
本発明をより詳細に説明するために、添付の図面に従ってこれを説明する。
【００２７】
（１）第１の実施形態
図１は第１の実施形態を表す回路ブロック図である。図１の、受信手段１において、標準電波を受信するアンテナ１Ａ、アンテナ１Ａの同調周波数を合わせる同調回路１Ｂ、アンテナ１Ａで受信した標準電波は、受信回路１Ｃによりデジタル信号に変換する。受信回路１Ｃから出力されたデジタル信号１Ｄは、受信する周波数を指定したり、デジタル信号１Ｄを解読し、時刻を表示する時計手段２の時刻修正を行うマイコン１Ｅに入力される。ＲＯＭ１Ｆは受信する周波数やアルゴリズム、年、月、日、時、分等の時刻情報を処理する情報などを記憶している。ＲＯＭ１Ｆ内には、福島県から送信される周波数が４０ＫＨｚであることやアルゴリズム、年、月、日、時、分等の時刻情報を処理する情報を記載した福島局情報１Ｇ、佐賀県から送信される周波数が６０ＫＨｚであることやアルゴリズム、年、月、日、時、分等の時刻情報を処理する情報を記載した佐賀局情報１Ｈが記憶されている。ＲＡＭ１Ｉは受信を行う送信局の順番を記憶しておくもので、１番目に受信を行う送信局の情報を記憶しておく１番目のＲＡＭエリア１Ｊ、２番目に受信を行う送信局の情報を記憶しておく２番目のＲＡＭエリア１Ｋを有する。１Ｌはマイコン１Ｅから同調回路１Ｂ、受信回路１Ｃに出力される周波数選択信号である。外部入力手段１Ｍ、上記のＲＯＭ１Ｆ、ＲＡＭ１Ｉはここではマイコン１Ｅに接続されている。
【００２８】
図２は本発明の電波修正時計で受信周波数を自動移行させ、受信を行う受信ステップのフローチャートである。
【００２９】
次に本発明における受信ステップについて図２のフローチャートを用いて説明する。
【００３０】
ユーザーの主な滞在地が西日本の場合、受信を行う前の状態でユーザーは外部入力手段１Ｍをもちいて１番目のＲＡＭエリア１Ｊに佐賀局、２番目のＲＡＭエリア１Ｋに福島局を設定しておく。
【００３１】
この状態で受信開始ステップＳ１を行った場合、マイコン１ＥはＲＯＭ１Ｆ内に記載されている情報（図２のフローチャートのステップと同じ）に従って図２中ステップＳ２に移行し、１番目のＲＡＭエリア１Ｊの受信する局が佐賀局であることを認識し、ＲＯＭ１Ｆ内の佐賀局情報１Ｈを読み出し、受信周波数が６０ＫＨｚであることから同調回路１Ｂ、受信回路１Ｃに周波数選択信号１Ｌを供給して、受信周波数を６０ＫＨｚに設定する。
【００３２】
アンテナ１Ａで受信した佐賀局の標準電波信号は受信回路１Ｃでデジタル信号１Ｄに変換され、マイコン１Ｅで佐賀局情報１Ｈを元に時刻情報に変換され時刻修正が行われ、ステップＳ３で受信が成功したと判別された場合は図２中ステップＳ５に移行し、受信を終了するが、受信が成功しなかったと判別された場合は図２中ステップＳ４に移行する。
【００３３】
ステップＳ４で２番目のＲＡＭエリア１Ｋの受信する局が福島局であることを認識し、ＲＯＭ１Ｆ内の福島局情報１Ｇを読み出し、受信周波数が４０ＫＨｚであることから同調回路１Ｂ、受信回路１Ｃに周波数選択信号１Ｌを与えて、受信周波数を４０ＫＨｚに設定する。
【００３４】
アンテナ１Ａで受信した福島局の標準電波信号は受信回路１Ｃでデジタル信号１Ｄに変換され、マイコン１Ｅで福島局情報１Ｇに基づき時刻情報に変換され時刻修正が行われる。ステップＳ４での受信の成功、不成功にかかわらず一定時間経過によって、ステップＳ５に移り受信を終了する。
【００３５】
ここでのユーザーは主に西日本に滞在しているのでほとんどの場合は１回の佐賀局の受信で時刻修正が終了するが、もしも旅行などで東日本に一時的に移動したとしても２回目の福島局の受信で時刻修正が出来るため、時刻の精度は確保される。逆にユーザーの主な滞在地が東日本の場合は上述の説明とは逆に予め１番目のＲＡＭエリア１Ｊに福島局、２番目のＲＡＭエリア１Ｋに佐賀局を設定しておけば良い。
【００３６】
この実施形態では２つの受信局を例にとり説明したが、３つ以上の各受信局の情報をＲＯＭ１Ｆにプログラムし、ＲＡＭ１Ｉに３つ以上の記憶エリアを設けることで３以上の受信局に対応できる。
【００３７】
上記の実施形態によれば、ユーザーが何処に住んでいる場合でも、常に自分が最も多くいるエリアの送信局の受信を１番始めに行うことができるので、受信時間が短縮出来るために受信消電の消費も大幅に抑えることが出来る。
【００３８】
（２）第２の実施形態
次に、図３に基づいて第２の実施形態を説明する。図３は、この発明による電波修正時計の第２の実施形態における受信ステップを示すフローチャートである。
【００３９】
これは日本での受信をメインとする電波修正時計についての例である。時計手段等からのタイミング信号によりスタートＳ２１が掛かり、ステップＳ２２で自動受信状態が始動し、まず福島局４０ＫＨｚ形式の受信を試みる。ステップＳ２３で受信成功ＮＯと判別されると続いてステップ２４の佐賀局６０ＫＨｚ形式の受信を試みる。さらにステップＳ２５で受信成功ＮＯとされるとステップＳ２６でＵＳ局６０ＫＨｚ形式の受信を試みる。この結果がどうであろうと、この例ではステップＳ２７で受信を終了する。勿論、ステップＳ２３とステップＳ２５で受信成功ＹＥＳであれば、ステップＳ２７にただちに移動し受信を終了する。しかし、ステップＳ２６の後に受信成功か否かの判断ステップを入れて、ＮＯの場合は、ステップＳ２２に戻り再受信を行うこととしてもよい。勿論、この場合ＹＥＳであれば、ステップＳ２７に移り受信は終了する。
【００４０】
一般に４０ＫＨｚ形式と６０ＫＨｚ形式との切り替わりに際しては、電界強度に対する合わせ込みを行う受信手段のオートゲインコントローラが安定するのに、約３０秒かかるが、この第２の実施形態においては、佐賀局６０ＫＨｚ形式の後にＵＳ局６０ＫＨｚ形式としているので、受信できる標準電波局がＵＳ局６０ＫＨｚ形式の場合にはタイムコードの受け入れまでの時間が短縮でき、速やかな受信が可能となる。
【００４１】
（３）第３の実施形態
次に、図４に基づいて第３の実施形態を説明する。図４は、この発明による電波修正時計の第３の実施形態における受信ステップを示すフローチャートである。
【００４２】
これは途中で受信が途絶えた履歴のある局の受信は、次の受信のときには試みずパスし、次の局の受信に移行する例である。
【００４３】
時計手段等からのタイミング信号によりスタートステップＳ３１が掛かり、ステップＳ３２で自動受信状態が始動し、まず福島局４０ＫＨｚ形式の受信を試みようとする。ステップＳ３３で後述する福島局に対応する途中受信フラグＦｆｎが１か０かを判別し１であればこの局はパスする。０であれば受信を開始し、一定時間後に途中で受信が途絶えたか否かをステップＳ３４で判別し、ＹＥＳであれば途中受信フラグＦｆｎに１のフラグを立て、ステップＳ３７に移り次の順位の佐賀局６０ＫＨｚ形式の受信を試みようとする。他方、途中で受信が途絶えたか否かを判別するステップＳ３４がＮＯを示せば、途中受信フラグＦｆｎに１のフラグを立てることなく、完全に受信成功か否かをステップＳ３５で判別しＮＯと判別されるとステップＳ３７に移り次の順位の佐賀局６０ＫＨｚ形式の受信を試みようとする。
【００４４】
ステップＳ３７に移った後、さらに、ステップＳ３８で後述する佐賀局に対応する途中受信フラグＦｓｎが１か０かを判別し１であればこの局はパスする。０であれば佐賀局の受信を開始し、一定時間後に途中で受信が途絶えたか否かをステップＳ３９で判別し、ＹＥＳであれば途中受信フラグＦｓｎに１のフラグを立て、ステップＳ３１２に移り次の順位のＵＳ局（米国の標準電波局）６０ＫＨｚ形式の受信を試みようとする。他方、途中で受信が途絶えたか否かを判別するステップＳ３９がＮＯを示せば、ステップＳ３１１で途中受信フラグＦｓｎに１のフラグを立てることなく、完全に受信成功か否かをステップＳ３１０で判別しＮＯと判別されるとステップＳ３１２に移り次の順位のＵＳ局６０ＫＨｚ形式の受信を試みようとする。
【００４５】
ステップＳ３１２に移った後、さらに、ステップＳ３１３で後述するＵＳ局に対応する途中受信フラグＦｕｎが１か０かを判別し１であればこの局はパスし、受信を終了する。０であればＵＳ局の受信を開始し、一定時間後に途中で受信が途絶えたか否かをステップＳ３１４で判別し、ＹＥＳであれば途中受信フラグＦｕｎに１のフラグを立て、ステップＳ３１５に移り受信を終了する。他方、途中で受信が途絶えたか否かを判別するステップＳ３１４がＮＯを示せば、ステップＳ３１４で途中受信フラグＦｓｎに１のフラグを立てることなく、ステップＳ３１５に移り受信を終了する。
【００４６】
上記のステップＳ３５またはＳ３１０の受信成功が、ＹＥＳであれば、直ちにステップＳ３１５に移動し受信が終了する。また、ステップＳ３６におけるフラグＦｆｎは、受信終了後、例えば外部入力手段１Ｍの操作などの所定の状態切換に基づき、初期化される。同様に、ステップＳ３１１におけるフラグＦｓｎあるいはステップＳ３１６におけるフラグＦｕｎは、受信終了後、例えば外部入力手段１Ｍの操作などの所定の状態切換に基づき、初期化される。
【００４７】
この第３の実施形態は、過去の受信履歴より完全に受信できそうもない所定局はパスすることで、無駄な消費電力を削減し、受信時間を短縮して速やかな受信を可能とするものである。
【００４８】
（４）第４の実施形態
次に、図５に基づいて第４の実施形態を説明する。図５は、この発明による電波修正時計の第４の実施形態における受信ステップを示すフローチャートである。
【００４９】
ある程度受信できた局の受信の履歴に基づき次の受信のときには、受信の可能性があるために受信を試み、受信が不成功のときのみ次の局の受信に移行する例である。
【００５０】
時計手段等からのタイミング信号によりスタートＳ４１が掛かり、ステップＳ４２で自動受信状態が始動し、まず福島局４０ＫＨｚ形式の受信を試みようとする。ステップＳ４３で後述する福島局に対応するある程度受信フラグＦｆｙが１か０かを判別し０であればこの局はパスする。１であれば受信を開始し、一定時間後にある程度受信できたか否かをステップＳ４４で判別し、ＹＥＳであればある程度受信フラグＦｆｙに１のフラグを立て、ステップＳ４７に移り次の順位の佐賀局６０ＫＨｚ形式の受信を試みようとする。他方、ある程度受信できたか否かを判別するステップＳ４４がＮＯを示せば、ある程度受信フラグＦｆｙに１のフラグを立てることなく、完全に受信成功か否かをステップＳ４５で判別しＮＯと判別されるとステップＳ４７に移り次の順位の佐賀局６０ＫＨｚ形式の受信を試みようとする。
【００５１】
ステップＳ４７に移った後、さらに、ステップＳ４８で後述する佐賀局に対応するある程度受信フラグＦｓｙが１か０かを判別し０であればこの局はパスする。１であれば佐賀局の受信を開始し、一定時間後にある程度受信できたか否かをステップＳ４９で判別し、ＹＥＳであればステップＳ４１１である程度受信フラグＦｓｙに１のフラグを立て、ステップＳ４１２に移り次の順位のＵＳ局（米国の標準電波局）６０ＫＨｚ形式の受信を試みようとする。他方、ある程度受信できたか否かを判別するステップＳ４９がＮＯを示せば、ステップＳ４１１である程度受信フラグＦｓｙに１のフラグを立てることなく、完全に受信成功か否かをステップＳ４１０で判別しＮＯと判別されるとステップＳ４１２に移り次の順位のＵＳ局６０ＫＨｚ形式の受信を試みようとする。
【００５２】
ステップＳ４１２に移った後、さらに、ステップＳ４１３で後述するＵＳ局に対応するある程度受信フラグＦｕｙが１か０かを判別し０であればこの局はパスし、受信を終了する。１であればＵＳ局の受信を開始し、一定時間後にある程度受信できたか否かをステップＳ４１４で判別し、ＹＥＳであれば途中受信フラグＦｕｙに１のフラグを立て、ステップＳ４１５に移り受信を終了する。他方、ある程度受信できたか否かを判別するステップＳ４１４がＮＯを示せば、ステップＳ４１６である程度受信フラグＦｕｙに１のフラグを立てることなく、ステップＳ４１５に移り受信を終了する。
【００５３】
上記のステップＳ４５またはＳ４１０の受信成功が、ＹＥＳであれば、直ちにステップＳ４１５に移動し受信が終了する。また、ステップＳ４６におけるフラグＦｆｙは、受信終了後、例えば外部入力手段１Ｍの操作などの所定の状態切換に基づき、初期化される。同様に、ステップＳ４１１におけるフラグＦｓｙあるいはステップＳ４１６におけるフラグＦｕｙは、受信終了後、例えば外部入力手段１Ｍの操作などの所定の状態切換に基づき、初期化される。
【００５４】
この第４の実施形態は、過去の受信履歴より完全成功の可能性のある所定局の受信を試み、更に受信成功の可能性が低い局は受信をパスしてトータル的に無駄な消費電力を削減し、受信時間を短縮して速やかな受信を可能とできる。
【００５５】
（５）第５の実施形態
次に、図６に基づいて、第２の実施形態に対応する第５の実施形態を説明する。図６は、この発明による電波修正時計の第５の実施形態における受信ステップを示すフローチャートである。
【００５６】
これは米国での受信をメインとする電波修正時計についての例である。
【００５７】
時計手段等からのタイミング信号によりステップＳ５１で自動受信状態が始動し、ステップＳ５２でまずＵＳ局６０ＫＨｚ形式の受信を試みる。ステップＳ５３で受信成功ＮＯと判別されると続いてステップＳ５４の佐賀局６０ＫＨｚ形式の受信を試みる。さらにステップＳ５５で受信成功ＮＯとされるとステップＳ５６で福島局４０ＫＨｚ形式の受信を試みる。この結果がどうであろうと、この例ではステップＳ５７で受信を終了する。勿論、ステップＳ５３とステップＳ５５で受信成功ＹＥＳであれば、ステップＳ５７にただちに移動し受信を終了する。しかし、ステップＳ５６の後に受信成功か否かの判断ステップを入れて、ＮＯの場合は、ステップＳ５２に戻り再受信を開始することとしてもよい。この場合ＹＥＳであれば、ステップＳ５７に移り受信は終了する。
【００５８】
一般に４０ＫＨｚ形式と６０ＫＨｚ形式との切り替わりに際しては、電界強度に対する合わせ込みを行う受信手段のオートゲインコントローラが安定するのに、約３０秒かかるが、この第５の実施形態においては、ＵＳ局６０ＫＨｚ形式の後に佐賀局６０ＫＨｚ形式としているので、受信できる標準電波局が佐賀局６０ＫＨｚ形式の場合にはタイムコードの受け入れまでの時間が短縮でき、速やかな受信が可能となる。
【００５９】
（６）第６の実施形態
次に、図７に基づいて第６の実施形態を説明する。図７は、この発明による電波修正時計の第６の実施形態における受信ステップを示すフローチャートである。
【００６０】
各局の形式の受信成功の回数をカウント（インクリメントあるいはデクリメント）し過去の受信履歴より、受信成功の頻度に応じて１番目、２番目、３番目、・・の局の形式の受信順序を決定する例である。
【００６１】
福島局４０ＫＨｚ形式、佐賀局６０ＫＨｚ形式、ＵＳ局（米国の標準電波局）６０ＫＨｚ形式等の３局を受信可能な電波修正時計についての例を説明する。
【００６２】
時計手段等からのタイミング信号によりスタートステップＳ６１が掛かり、ステップＳ６２で受信状態が始動し、３局の内、前歴の累積成功回数最大のＸ局の受信を試みようとする。ステップＳ６３でそのＸ局に対する途中受信フラグＦｘｎが１か０かを判別し１であればこの局はパスする。０であれば受信を開始し、一定時間後に途中で受信が途絶えたか否かをステップＳ６４で判別し、ＹＥＳであればステップＳ６６で途中受信フラグＦｘｎに１のフラグを立て、ステップＳ６７に移り、前歴の累積成功回数が２番目のＹ局の受信を試みようとする。他方、途中で受信が途絶えたか否かを判別するステップＳ６４がＮＯを示せば、途中受信フラグＦｘｎに１のフラグを立てることなく、完全に受信成功か否かをステップＳ６５で判別しＮＯと判別されるとステップＳ６７に移り前歴の累積成功回数が２番目のＹ局の受信を試みようとする。ステップＳ６５で判別が、ＹＥＳと判別されると、ステップＳ６１７で前歴の累積成功回数Ｃｘに１を加え、ステップＳ６１５で全体の受信を終了させる。
【００６３】
ステップＳ６７に移り前歴の累積成功回数が２番目のＹ局の受信を試みようとした後、ステップＳ６８で２番目のＹ局に対応する途中受信フラグＦｙｎが１か０かを判別し１であればこの局はパスする。０であれば２番目のＹ局の受信を開始し、一定時間後に途中で受信が途絶えたか否かをステップＳ６９で判別し、ＹＥＳであればステップＳ６１１で途中受信フラグＦｙｎに１のフラグを立て、ステップＳ６１２に移り次に前歴の累積成功回数が多いＺ局の受信を試みようとする。他方、途中で受信が途絶えたか否かを判別するステップＳ６９がＮＯを示せば、ステップＳ６１１で途中受信フラグＦｙｎに１のフラグを立てることなく、完全に受信成功か否かをステップＳ６１０で判別しＮＯと判別されるとステップＳ６１２に移り次に前歴の累積成功回数が多いＺ局の受信を試みようとする。ステップＳ６１０で、ＹＥＳと判別されると、ステップＳ６１８で前歴の累積成功回数Ｃｙに１を加え、ステップＳ６１５で全体の受信を終了させる。
【００６４】
ステップＳ６１２に移り前歴の累積成功回数が３番目のＺ局の受信を試みようとした後、ステップＳ６１３で３番目のＺ局に対応する途中受信フラグＦｚｎが１か０かを判別し１であればこの局はパスする。０であれば３番目のＺ局の受信を開始し、一定時間後に途中で受信が途絶えたか否かをステップＳ６１４で判別し、ＹＥＳであればステップＳ６１６で途中受信フラグＦｚｎに１のフラグを立て、ステップＳ６１５に至り全体の受信を終了する。他方、途中で受信が途絶えたか否かを判別するステップＳ６１４がＮＯを示せば、ステップＳ６１６で途中受信フラグＦｚｎに１のフラグを立てることなく、完全に受信成功か否かをステップＳ６１７で判別しＮＯと判別されるとステップＳ６１５に至り全体の受信を終了する。ステップＳ６１７でＹＥＳと判別されると、ステップＳ６１９で前歴の累積成功回数Ｃｚに１を加え、ステップＳ６１５で全体の受信を終了させる。
【００６５】
ステップＳ６６におけるフラグＦｘｎは、受信終了後、例えば外部入力手段１Ｍの操作などの所定の状態切換に基づき、初期化される。同様に、ステップＳ６１１におけるフラグＦｙｎあるいはステップＳ６１６におけるフラグＦｚｎは、受信終了後、例えば外部入力手段１Ｍの操作などの所定の状態切換に基づき、初期化される。また、前歴の累積成功回数Ｃｘ，Ｃｙ，Ｃｚは、選定された回数の受信たとえば、１０回の受信毎に、初期化される。
【００６６】
また、ここでは、累積成功回数Ｃｘ，Ｃｙ，Ｃｚを、インクレメントするものとしたが、デクレメントするものとすることも出来る。
【００６７】
この第６の実施形態は、過去の受信履歴により、完全には受信できそうもない所定局はパスすることで、また、累積成功によって局の受信順位を変えて、無駄な消費電力を削減し、受信時間を短縮して速やかな受信を可能とするものである。
【００６８】
（７）第７の実施形態
次に、図８に基づいて第７の実施形態を説明する。図８は、この発明による電波修正時計の第７の実施形態における受信ステップを示すフローチャートである。
【００６９】
日本での受信において、福島局４０ＫＨｚ形式にて時分データのみ受信され、続いて佐賀局６０ＫＨｚ形式にてカレンダデータのみ受信できた場合には、両方を合わせて完全受信として処理する例で、すなわち異なる２局からの時刻情報データを合体または合成して完全なデータを得る例である。
【００７０】
時計手段等からのタイミング信号によりスタートステップＳ７１が掛かり、ステップＳ７２で自動受信状態が始動し、まず福島局４０ＫＨｚ形式の受信を開始し、一定時間後に途中で受信が途絶えたか否かをステップＳ７３で判別し、ＹＥＳであればステップＳ７９で時分データまで受信できたかを判別する。ＹＥＳであれば、ステップＳ７５の２番目の佐賀局６０ＫＨｚ形式の受信に移行する。ステップＳ７９の判別がＮＯであれば、ステップＳ７８に至り受信を終了する。他方、ステップＳ７３の判別がＮＯであれば、ステップＳ７４に至り完全に受信成功か否かを判別する。この結果がＹＥＳであればステップＳ７８に至り受信を終了する。ＮＯであれば、ステップＳ７５の２番目の佐賀局６０ＫＨｚ形式の受信に移行する。
【００７１】
佐賀局６０ＫＨｚ形式の受信において、一定時間後に途中で受信が途絶えたか否かをステップＳ７６で判別し、ＹＥＳであればステップＳ７１０でカレンダデータまで受信できたかを判別する。ＹＥＳであれば、ステップＳ７１１に至り、フローチャートの前半部分でのステップＳ７９にてＹＥＳの経路を通ってきた場合には、時分データとカレンダデータの受信記憶を合成して、まとまった時刻情報を得る。ステップＳ７１０の判別がＮＯであれば、ステップＳ７８に至り受信を終了する。
【００７２】
途中で受信が途絶えたか否かを判別するステップＳ７６がＮＯを示せば、受信成功か否かをステップＳ７７で判別しＮＯと判別されるとステップＳ７８に至り受信を終了する。ステップＳ７７でＹＥＳと判別されてもステップＳ７８に至り受信を終了する。
【００７３】
電波の状況が福島局４０ＫＨｚ形式と佐賀局６０ＫＨｚ形式との境界のエリアにて受信可能な頻度を上げることが出来、トータルとして受信成功率の向上を図ることが出来る。
【産業上の利用可能性】
【００７４】
以上のように、本発明の電波修正時計は地域による標準電波受信の影響を少なくしたより精度の高い時計として有用である。
【図面の簡単な説明】
【００７５】
【図１】この発明による電波修正時計の第１の実施形態を示す回路ブロック図である。
【図２】図１の実施の形態における受信ステップを示すフローチャートである。
【図３】この発明による電波修正時計の第２の実施形態における受信ステップを示すフローチャートである。
【図４】この発明による電波修正時計の第３の実施形態における受信ステップを示すフローチャートである。
【図５】この発明による電波修正時計の第４の実施形態における受信ステップを示すフローチャートである。
【図６】この発明による電波修正時計の第５の実施形態における受信ステップを示すフローチャートである。
【図７】この発明による電波修正時計の第６の実施形態における受信ステップを示すフローチャートである。
【図８】この発明による電波修正時計の第７の実施形態における受信ステップを示すフローチャートである。
【符号の説明】
【００７６】
１  受信手段、１Ａ  アンテナ、１Ｂ  同調回路、１Ｃ  受信回路、１Ｄ  デジタル信号、１Ｅ  マイコン、１Ｆ  ＲＯＭ、１Ｇ  福島局情報、１Ｈ  佐賀局情報、１Ｉ  ＲＡＭ、１Ｊ  ＲＡＭエリア、１Ｋ  ＲＡＭエリア、１Ｌ  周波数選択信号、１Ｍ  外部入力手段、２  時計手段。
【図１】
0004252900.tif 000002
【図２】
0004252900.tif 000003
【図３】
0004252900.tif 000004
【図４】
0004252900.tif 000005
【図５】
0004252900.tif 000006
【図６】
0004252900.tif 000007
【図７】
0004252900.tif 000008
【図８】
0004252900.tif 000009